(57)【特許請求の範囲】
【請求項１】
本体が前面グリル、外胴および内部ユニットから構成され、前記前面グリルは前記本体の前面に取り付けられ、正面視で向かって左側に室内側吸込口、右側に室内側吹出口を備え、内部ユニットは、ベース上に仕切板を立設して本体内部を室内側熱交換室と室外側熱交換室とに区画し、前記室内側熱交換室にはシロッコファンと、同シロッコファンを囲むファンケーシングと、同ファンケーシングの風下に接続して前記室内側吹出口に接続される導風路とを設け、前記室外側熱交換室にはＵ字形に折り曲げられた室外側熱交換器の両側部が前記本体の両側面に沿うように配置されるとともに、同室外側熱交換器に囲まれるように配置され外周にドレン水を掻きあげるためのスリンガリングを備えたプロペラファンと、同プロペラファンと前記シロッコファンを回転軸の両端に軸支したファンモータとを設け、前記ファンモータの回転軸が、本体の中心から左側面方向に片寄って配置された一体型空気調和機において、
前記シロッコファンが、反時計回りに回転するように、前記ファンケーシングは前記シロッコファンと前記導風路の間の上部側に舌部が設けられ、
前記プロペラファンは、前記シロッコファンの回転に合わせ前記スリンガリングがドレン水を前記室外側熱交換器の右側部に向かって掻きあげる方向に回転することを特徴とする一体型空気調和機。
【請求項２】
前記前面グリルは、正面視で向かって右側に室内側吸込口、左側に室内側吹出口を備え、前記ファンモータの回転軸が、本体の中心から右側面方向に片寄って配置され、前記シロッコファンが時計回りに回転し、前記プロペラファンは前記スリンガリングがドレン水を前記室外側熱交換器の左側部に向かって掻きあげる方向に回転することを特徴とする請求項１に記載の一体型空気調和機。
【発明の詳細な説明】
【技術分野】
【０００１】
本発明は、一体型空気調和機に係わり、特に室外側熱交換器の冷却に関するものである。
【背景技術】
【０００２】
従来の一体型空気調和機は、図５に示すように、本体９０１内部を仕切板９０２により室内側熱交換室９１０と室外側熱交換室９２０に区分する。室内側熱交換室９１０には室内側熱交換器９１１とシロッコファン９１４と操作部９１２とを備え、室外側熱交換室９２０にはベース９２４上にＵ字形で本体９０１内部の後面を覆う室外側熱交換器９２１と同室外側熱交換器９２１に囲まれるように配置されたプロペラファン９２２とファンモータ９２５と圧縮機９２６とを備えている。室内側熱交換室９１０の前面右端には操作部９１２が配置され、室内側熱交換室９１０の前面中央から左端にかけて吸込口９１３が配置される。この吸込口９１３の中心に合わせシロッコファン９１４が配置されるため、シロッコファン９１４は本体９０１の中心よりも左端寄りに配置される。
室外側熱交換室９２０にあるプロペラファン９２２は、室内側熱交換室９１０にあるシロッコファン９１４とともにファンモータ９２５の回転軸９２５ａの両端に軸支されて回転駆動するため、シロッコファン９１４と同様に本体９０１の中心よりも左端寄りに配置される。プロペラファン９２２の周囲にはベース９２４上に溜まったドレン水９２７を掻きあげるためのスリンガリング９２３を備える。
【０００３】
このスリンガリング９２３は図６に示すようにドレン水９２７を掻きあげて、スプラッシュ（水しぶき）９２７ａにして室外側熱交換器９２１に吹き付けることで、ドレン水を蒸発させるとともに室外側熱交換器９２１をスプラッシュ９２７ａで冷却することで、熱交換効率を向上させている。
ファンモータ９２５は室内側熱交換室９１０のシロッコファン９１４を室内側熱交換室９１０側から見て時計回りに回転させるため、プロペラファン９２２とスリンガリング９２３も時計回りに回転する。よって、スリンガリング９２３は、ベース９２４上に溜まったドレン水９２７の水面と接する付近ではドレン水９２７を室内側熱交換室９１０側から見て左斜め上方に掻きあげて、スプラッシュ９２７ａを室外側熱交換器９２１のＵ字形の左端側下部９２１ａに吹き付ける。（特許文献１参照）
【先行技術文献】
【特許文献】
【０００４】
【特許文献１】特開昭５９−６０１３３号公報
【発明の概要】
【発明が解決しようとする課題】
【０００５】
Ｕ字形の室外側熱交換器９２１のＵ字形内に配置され、シロッコファン９１４の回転に合わせて時計回りに回転するプロペラファン９２２の周囲にあるスリンガリング９２３は、ドレン水９２７を掻きあげて発生するスプラッシュ９２７ａをプロペラファン９２２の近傍にある室外側熱交換器９２１のＵ字形の左端側下部９２１ａのみに吹き付けるため、スプラッシュ９２７ａが狭い範囲しか吹き付けられず、スプラッシュ９２７ａによる室外側熱交換器９２１の冷却範囲が狭くなり、室外側熱交換器９２１の熱交換効率が向上しない。
【０００６】
そこで、本発明は、スリンガリングによって掻きあげたドレン水を熱交換器の広い範囲に吹き付けて効率よく蒸発させるとともに熱交換器を冷却させて、熱交換効率を向上させる一体型空気調和機を提供することを目的とする。
【課題を解決するための手段】
【０００７】
上記目的を達成する為に、本発明は、ベース上に仕切板を立設して本体内部を室内側熱交換室と室外側熱交換室とに区画し、前記室内側熱交換室にはシロッコファンと、同シロッコファンを囲むファンケーシングと、同ファンケーシングの風下に接続する導風路と、同導風路の出口に接続される吹出口とを設け、前記室外側熱交換室にはＵ字形に折り曲げられた室外側熱交換器の両側部が前記本体の両側面に沿うように配置されるとともに、同室外側熱交換器に囲まれるように配置され外周にドレン水を掻きあげるためのスリンガリングを備えたプロペラファンと、同プロペラファンと前記シロッコファンを回転軸の両端に軸支したファンモータとを設け、前記ファンモータの回転軸が、本体の中心から一側面方向に片寄って配置された一体型空気調和機において、
前記プロペラファンは、前記スリンガリングがドレン水を本体の他側面方向の前記室外側熱交換器に向かって掻きあげる方向に回転することを特徴とする。
【０００８】
また、前記ファンケーシングは、前記シロッコファンと前記導風路の間の上部側に舌部が設けられていることを特徴とする。
【発明の効果】
【０００９】
本発明は、スリンガリングによって掻きあげたドレン水を熱交換器の広い範囲に吹き付けて効率よく蒸発させるとともに熱交換器を冷却させて、熱交換効率を向上させる一体型空気調和機を提供できる。
【図面の簡単な説明】
【００１０】
【図１】本発明における一体型空気調和機の外観斜視図である。
【図２】図１のＡ−Ａ断面図である。
【図３】図１のＢ−Ｂ断面図である。
【図４】図１のＣ−Ｃ断面図である。
【図５】従来発明における一体型空気調和機の平面断面図である。
【図６】従来発明における一体型空気調和機の背面断面図である。
【発明を実施するための形態】
【００１１】
本発明に係わる一体型空気調和機は、図１と図２に示すように、本体１００が前面グリル１０１、外胴１０２および内部ユニット１０３から構成されている。
前面グリル１０１は本体１００の前面に取り付けられ、正面視で向かって左側に室内側吸込口１０１ａ、右側に室内側吹出口１０１ｂを備えている。
外胴１０２は左側面１０２ａ、右側面１０２ｂと天面１０２ｃに室外側吸込口２２７と、背面１０２ｄと、左側面１０２ａと右側面１０２ｂで室外側吸込口２２７よりも背面方向に室外側吹出口２２８を備えている。
内部ユニット１０３は、ベース２０１上に設けられた仕切板２０２によって、室内側熱交換室２１０と室外側熱交換室２２０に区分されている。
尚、本発明の一体型空気調和機において、前面グリル１０１を前面方向、外胴１０２の左側面１０２ａの方向を左側面方向、外胴１０２の右側面１０２ｂの方向を右側面方向、外胴１０２の背面１０２ｄの方向を背面方向として説明する。尚、左側面方向と右側面方向はそれぞれ一側面方向、他側面方向としてあらわしても良い。
【００１２】
室内側熱交換室２１０には、前面グリル１０１の室内側吸込口１０１ａに対向した位置に室内側熱交換器２１１が配置され、この室内側熱交換器２１１と仕切板２０２との間に配置されたシロッコファン２１２が室外側熱交換室２２０にあるファンモータ２２４の回転軸２２４ａの一端に軸支される。シロッコファン２１２は室内側吸込口１０１ａの中心に合わせて配置されるため、シロッコファン２１２は本体１００の中心よりも左側面方向に片寄って配置される。
また、室内側熱交換室２１０には、シロッコファン２１２を囲むファンケーシング２１３と、ファンケーシング２１３の風下に接続する導風路２１５とを設け、室内側吹出口１０１ｂが導風路２１５の出口に接続される。
室内側熱交換器２１１の下部には、室内側熱交換器２１１で生じるドレン水を溜めて室外側熱交換室２２０へ導くための水受皿２１４が設けられている。
【００１３】
室外側熱交換室２２０には、ベース２０１上にＵ字形に折り曲げられた室外側熱交換器２２１の右側部２２１ａが外胴１０２の右側面１０２ｂと、左側部２２１ｂが外胴１０２の左側面１０２ａと沿うように配置される。なお、図２では、室外側熱交換器２２１の右側部２２１ａと左側部２２１ｂは仕切板２０２に向かって折り曲げられているが、これに限らず、外胴１０２の背面１０２ｄに向かって折り曲げられても良い。
室外側熱交換器２２１のＵ字形内には室外側熱交換器２２１に囲まれるようにプロペラファン２２３が配置され、プロペラファン２２３を回転軸２２４ａの他端に軸支して回転駆動させるファンモータ２２４が、プロペラファン２２３と仕切板２０２の間に設けられる。プロペラファン２２３とシロッコファン２１２はファンモータ２２４の回転軸２２４ａの両端にそれぞれ軸支されるため、プロペラファン２２３およびファンモータ２２４も本体１００の左側面方向に片寄って配置される。
また、プロペラファン２２３により室外側吸込口２２７より吸い込まれた空気を室外側熱交換器２２１に導くエアーガイダ２２９がプロペラファン２２３の前面方向寄りに仕切板２０２と対向して設けられ、ファンモータ２２４の右側面方向には冷媒を圧縮する圧縮機２２６が設けられている。
【００１４】
ファンモータ２２４の回転駆動によりプロペラファン２２３が回転することで、室外空気が室外側吸込口２２７より吸い込まれ、室外側熱交換器２２１で冷媒と熱交換され、室外側吹出口２２８より室外に吹き戻される。
【００１５】
プロペラファン２２３の外周には、図２および図３に示すようにプロペラファン２２３と一体に形成される環状のスリンガリング２２２が備えられている。このスリンガリング２２２が、ベース２０１上に溜まったドレン水３００を掻きあげるとともに、スリンガリング２２２で掻きあげたドレン水３００をスリンガリング２２２の円周方向に飛散させる。
【００１６】
プロペラファン２２３は、図３の矢印Ｘに示すように、本体１００の前面方向から見て反時計回りに回転している。この回転方向にプロペラファン２２３が回転することで、スリンガリング２２２はベース２０１上に溜まったドレン水３００を斜め上方に掻きあげて、スプラッシュ３００ａにして室外側熱交換器２２１の右側部２２１ａに吹き付けて蒸発させるとともに、室外側熱交換器２２１を冷却している。また、スリンガリング２２２によって円周方向に飛散したスプラッシュ３００ａを、プロペラファン２２３が吹き出した風によって室外側熱交換器２２１全体に吹き付けることでも室外側熱交換器２２１を冷却している。
プロペラファン２２３は本体１００の左側面方向に片寄って配置されているため、スリンガリング２２２と室外側熱交換器２２１の右側部２２１ａとは従来例よりも広い空間が設けられる。従って、スリンガリング２２２によって掻きあげられたドレン水３００は高く、遠くまでスプラッシュ３００ａとなり飛散することで、室外側熱交換器２２１の広い範囲にスプラッシュ３００ａを吹き付けることができ、効率よく室外側熱交換器２２１を冷却することができる。尚、本実施例では、プロペラファン２２３およびファンモータ２２４が本体１００の左側面方向に片寄って配置されているが、本発明はこれに限定したものではなく、プロペラファン２２３およびファンモータ２２４が本体１００の右側面方向に片寄って配置された場合は、プロペラファン２２３を本体１００の前面方向から見て時計回りに回転させて、スリンガリング２２２によって掻きあげられたスプラッシュ３００ａを室外側熱交換器２２１の左側部２２１ｂに吹き付けても良い。
【００１７】
室内側熱交換室２１０にあるシロッコファン２１２は、図４に示すように、室外側熱交換室２２０にあるプロペラファン２２３と同じファンモータ２２４の回転軸２２４ａに軸支されて回転駆動するため、矢印Ｙに示すように、反時計回りに回転する。シロッコファン２１２を反時計回りに回転させて、室内側吹出口１０１ｂから空気を吹き出させるために、ファンケーシング２１３はシロッコファン２１２の回転方向に合わせて風上のシロッコファン２１２と導風路２１５の間の上部側に舌部２１３ａを設けて空気を絞り、風下の下部側に導風路２１５に空気を導く流路２１３ｂを形成している。
【００１８】
これにより、ファンモータ２２４の回転駆動によりシロッコファン２１２が回転することで、室内空気は室内側吸込口１０１ａより吸い込まれ、室内側熱交換器２１１で冷媒と熱交換され、ファンケーシング２１３で絞られて導風路２１５に導かれ、室内側吹出口１０１ｂより室内に吹き戻される。
【００１９】
上記構成における本実施例の一体型空気調和機において、室内側熱交換器２１１で生じたドレン水３００は、水受皿２１４を経て仕切板２０２の下を通過してベース２０１の室外側熱交換室２２０へ流出し、プロペラファン２２３の下方へ流れる。ここで、ドレン水３００はプロペラファン２２３のスリンガリング２２２により掻きあげられて、室外側熱交換器２２１へ吹きつけられ蒸発するとともに室外側熱交換器２２１を冷却し、熱交換効率を向上させることができる。
【符号の説明】
【００２０】
１００    本体
１０１    前面グリル
１０３    内部ユニット
２０１    ベース
２０２    仕切板
２１０    室内側熱交換室
２１１    室内側熱交換器
２１２    シロッコファン
２１３    ファンケーシング
２１５    導風路
２２０    室外側熱交換室
２２１    室外側熱交換器
２２２    スリンガリング
２２３    プロペラファン
２２４    ファンモータ
２２４ａ  回転軸
３００    ドレン水
【図１】
0006003154.tif 000002
【図２】
0006003154.tif 000003
【図３】
0006003154.tif 000004
【図４】
0006003154.tif 000005
【図５】
0006003154.tif 000006
【図６】
0006003154.tif 000007